(57)【特許請求の範囲】
【請求項１】
抽選装置と、通信端末とを備える抽選システムであって、
前記通信端末は、
抽選結果が上位であるか下位であるかを判定する第１抽選実行部と、
前記第１抽選実行部によって抽選結果が下位であると判定された場合に抽選を実行する第２抽選実行部と、
前記第１抽選実行部によって抽選結果が上位であると判定された場合に、識別情報及び時刻情報を含む抽選依頼情報を前記抽選装置に送信する抽選依頼情報送信部と、
前記抽選依頼情報に対する抽選結果を前記抽選装置から受信する抽選結果受信部と
を有し、
前記抽選装置は、
複数の時間帯のそれぞれに異なる当選確率を割り当てる当選確率割当部と、
前記通信端末から前記抽選依頼情報を取得する抽選依頼情報取得部と、
前記時刻情報が示す時刻に対応する時間帯に割り当てられた当選確率に基づいて、前記抽選依頼情報に対する抽選を実行する第３抽選実行部と、
前記第３抽選実行部による抽選結果及び前記識別情報を前記通信端末に送信する第１抽選結果出力部と
を備える抽選システム。
【請求項２】
前記通信端末は、前記第１抽選実行部によって抽選結果が下位であると判定された場合、前記第２抽選実行部によって実行された抽選結果を出力し、前記第１抽選実行部によって抽選結果が上位であると判定された場合、前記抽選結果受信部が受信した抽選結果を出力する第２抽選結果出力部をさらに有する、請求項１に記載の抽選システム。
【請求項３】
前記第２抽選結果出力部は、前記第２抽選実行部によって実行された抽選結果と、前記抽選結果受信部が受信した抽選結果とを、異なる出力態様で出力する、請求項２に記載の抽選システム。
【請求項４】
前記第２抽選結果出力部は、前記第２抽選実行部によって実行された抽選結果を表示出力し、前記抽選結果受信部が受信した抽選結果をメール送信する、請求項３に記載の抽選システム。
【請求項５】
前記当選確率割当部は、前記複数の時間帯のうちの一の時間帯に１００％の当選確率を割り当てる、請求項１から４のいずれか一項に記載の抽選システム。
【請求項６】
前記当選確率割当部は、後の時間帯ほど当選確率が高くなるべく、前記複数の時間帯のそれぞれに異なる当選確率を割り当てる、請求項１から５のいずれか一項に記載の抽選システム。
【請求項７】
前記抽選実行部が実行した抽選の当選数をカウントする当選数カウント部
をさらに備え、
前記当選確率割当部は、前記複数の時間帯のそれぞれに異なる当選確率を割り当てた後、前記当選数カウント部によってカウントされた当選数が、予め定められた当選数と等しくなった場合に、前記複数の時間帯のそれぞれの当選確率を０％に変更する、請求項１から６のいずれか一項に記載の抽選システム。
【発明の詳細な説明】
【技術分野】
【０００１】
本発明は、抽選装置、抽選システム及びプログラムに関する。
【背景技術】
【０００２】
従来、ネットワークを介した抽選システムが知られていた（例えば、特許文献１参照）。
［先行技術文献］
［特許文献］
［特許文献１］特開２００５−０２１３５８号公報
【発明の概要】
【発明が解決しようとする課題】
【０００３】
従来の抽選システムよりも魅力的な抽選システムの提供が望まれていた。
【課題を解決するための手段】
【０００４】
本発明の第１の態様によれば、複数の時間帯のそれぞれに異なる当選確率を割り当てる当選確率割当部と、識別情報を含む抽選依頼情報及び時刻情報を取得する抽選依頼情報取得部と、時刻情報が示す時刻に対応する時間帯に割り当てられた当選確率に基づいて、抽選依頼情報に対する抽選を実行する抽選実行部と、抽選実行部による抽選結果及び識別情報を出力する抽選結果出力部とを備える抽選装置が提供される。
【０００５】
上記抽選装置において、当選確率割当部は、複数の時間帯のうちの一の時間帯に１００％の当選確率を割り当ててよい。上記抽選装置において、当選確率割当部は、後の時間帯ほど当選確率が高くなるべく、複数の時間帯のそれぞれに異なる当選確率を割り当ててよい。上記抽選装置は、抽選実行部が実行した抽選の当選数をカウントする当選数カウント部をさらに備えてよく、当選確率割当部は、当選数カウント部によってカウントされた当選数が、予め定められた当選数と等しくなった場合に、複数の時間帯のそれぞれの当選確率を０％に変更してよい。
【０００６】
本発明の第２の態様によれば、識別情報を含む抽選依頼情報を抽選装置に送信する抽選依頼情報送信部と、抽選依頼情報に対する抽選結果を抽選装置から受信する抽選結果受信部とを有する通信端末と、上記抽選装置とを備える抽選システムが提供される。
【０００７】
本発明の第３の態様によれば、コンピュータを、抽選結果が上位であるか下位であるかを判定する抽選判定部、抽選結果が上位である場合に、識別情報を含む抽選依頼情報を抽選装置に送信する抽選依頼情報送信部、及び抽選結果が下位である場合、抽選結果を出力し、抽選結果が上位である場合に、抽選装置から受信した抽選結果を出力する抽選結果出力部として機能させるためのプログラムが提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】抽選システムの一例を概略的に示す。
【図２】抽選装置の機能構成の一例を概略的に示す。
【図３】当選確率テーブルの一例を概略的に示す。
【図４】当選確率テーブルの一例を概略的に示す。
【図５】当選確率テーブルの一例を概略的に示す。
【図６】通信端末の機能構成の一例を概略的に示す。
【図７】抽選装置による処理の流れの一例を概略的に示す。
【図８】抽選装置による処理の流れの一例を概略的に示す。
【図９】通信端末による処理の流れの一例を概略的に示す。
【図１０】抽選システムの一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、本実施形態に係る抽選システム１００の一例を概略的に示す。抽選システム１００は、抽選装置２００及び複数の通信端末３００を備えてよい。抽選装置２００と複数の通信端末３００とは、ネットワーク１０を介して通信する。ネットワーク１０は、インターネット及び電話網の少なくともいずれかを含んでよい。
【００１２】
抽選装置２００は、複数の通信端末３００のそれぞれから抽選依頼情報を受信する。そして、抽選装置２００は、受信した抽選依頼情報に対する抽選を実行して、抽選依頼情報を送信した通信端末３００に抽選結果を送信する。
【００１３】
通信端末３００は、通信機能を備えた機器であればどのような機器であってもよい。通信端末３００は、例えば、タブレット端末、携帯電話、及びＰＣ（Ｐｅｒｓｏｎａｌ  Ｃｏｍｐｕｔｅｒ）等の通信機器である。通信端末３００は、無線通信によってネットワーク１０に接続されてよく、有線通信によってネットワーク１０に接続されてもよい。
【００１４】
通信端末３００は、複数人によって利用される通信機器であってよい。例えば、通信端末３００は店舗等に設置され、来店者等によって利用される。通信端末３００は、店舗の従業員等によって管理されてよい。例えば、店舗の従業員は、抽選を行う権利を有する抽選権利者に対して、通信端末３００を利用した抽選の実行を許可してよい。
【００１５】
抽選を行う権利は、様々な形で抽選権利者に対して与えられてよい。例えば、抽選を行う権利は、抽選チケットを所有する者に対して与えられる。また、抽選を行う権利は、予め定められた物品を提出した者に対して与えられてもよい。予め定められた物品とは、例えば、リサイクル用の携帯電話等である。
【００１６】
通信端末３００は、抽選権利者による操作に応じて、抽選依頼情報を抽選装置２００に送信してよい。そして、通信端末３００は、抽選結果を抽選装置２００から受信して、出力してよい。出力形態は、表示出力及び音声出力の少なくともいずれかであってよい。
【００１７】
通信端末３００によって出力された抽選結果が当選を示した場合、例えば、店舗の従業員が、当選品を抽選権利者に授与する。当選品は、物品、現金、金券、及び電子マネー等であってよい。例えば、リサイクル用の携帯電話を提出した者に対して抽選を行う権利を与えることによって、リサイクル用の携帯電話を店舗に提出するインセンティブを携帯電話の利用者に与えることができる。
【００１８】
ここで、例えば、毎日当選者が出るような抽選手法を提供することによって、よりインセンティブを高めることができると考えられる。しかし、毎日当選者が出ても当選者に提供できるだけの当選品を予め準備していたとしても、抽選する人数が少ない等の理由によって当選者が出なかった場合には、当選確率が低い印象を与えてしまいかねない。これに対して、例えば、受け付けた抽選依頼情報を保存しておき、１日の営業が終了した後に、当選者が必ず出るような形で抽選を行うことも考えられるが、この場合、抽選をしてから抽選結果を知らせるまでにタイムラグが発生してしまう。さらに、当選したことを知らせるために、抽選を行った全ての者の連絡先を管理しなければならなくなる。
【００１９】
そこで、本実施形態に係る抽選装置２００は、１日の間で当選者が出る確率を向上させ、かつ、抽選をしてから抽選結果を知らせるまでのタイムラグの発生を防止できる抽選手法を提供する。例えば、抽選装置２００は、複数の時間帯のうち、後の時間帯ほど当選確率が高くなるべく、複数の時間帯のそれぞれに異なる当選確率を割り当てる。複数の時間帯とは、１日の間での複数の時間帯であってよい。例えば、複数の時間帯は、通信端末３００が設置された店舗の営業時間中の複数の時間帯である。
【００２０】
後の時間帯ほど当選確率が高くなるべく、複数の時間帯のそれぞれに異なる当選確率を割り当てることにより、１日の間で当選者が出る確率を向上させることができる。また、例えば、抽選装置２００は、複数の時間帯のうち一の時間帯に１００％の当選確率を割り当てる。これにより、１００％の当選確率を割り当てた時間帯に抽選が実行されなかった場合を除いて、確実に当選者を出すことができる。
【００２１】
図２は、抽選装置２００の機能構成の一例を概略的に示す。抽選装置２００は、当選確率割当部２０２、抽選依頼情報取得部２０４、当選確率決定部２０６、抽選実行部２０８、当選数カウント部２１０、抽選結果出力部２１２、及び抽選傾向分析部２１４を備える。なお、抽選装置２００がこれらのすべての構成を備えることは必須とは限らない。
【００２２】
当選確率割当部２０２は、複数の時間帯のそれぞれに異なる当選確率を割り当てる。当選確率割当部２０２は、例えば、複数の時間帯のうち、後の時間帯ほど当選確率が高くなるべく、複数の時間帯のそれぞれに異なる当選確率を割り当てる。これにより、１日の間で当選者が出る確率を向上させることができる。
【００２３】
当選確率割当部２０２は、複数の時間帯のそれぞれに異なる当選確率が割り当たるように、複数の時間帯のそれぞれにランダムに当選確率を割り当ててもよい。例えば、当選確率割当部２０２は、複数の時間帯のそれぞれに、毎日ランダムに当選確率を割り当てる。また、例えば、当選確率割当部２０２は、抽選装置２００の管理者の指示に従って、複数の時間帯のそれぞれにランダムに当選確率を割り当てる。これにより、当選の傾向が固定されてしまうことを防止できる。
【００２４】
当選確率割当部２０２は、複数の時間帯のうちの一の時間帯に１００％の当選確率を割り当ててよい。これにより、１００％の当選確率を割り当てた時間帯に抽選が実行されなかった場合を除いて、確実に当選者を出すことができる。
【００２５】
当選確率割当部２０２は、例えば、複数の時間帯のうち、後の時間帯ほど当選確率が高くなるべく複数の時間帯のそれぞれに異なる当選確率を割り当てて、最後の時間帯に１００％の当選確率を割り当ててよい。これにより、最後の時間帯までに当選が出なかった場合であっても、最後の時間帯に抽選が実行された場合に、確実に当選者を出すことができる。
【００２６】
当選確率割当部２０２は、複数の抽選等級のそれぞれについて、異なる当選確率を割り当ててよい。例えば、複数の抽選等級が１等から３等までである場合、当選確率割当部２０２は、１等について複数の時間帯のそれぞれに割り当てる当選確率と、２等について複数の時間帯のそれぞれに割り当てる当選確率と、３等について複数の時間帯のそれぞれに割り当てる当選確率とを、異ならせてよい。
【００２７】
抽選依頼情報取得部２０４は、識別情報を含む抽選依頼情報を取得する。識別情報は抽選依頼情報を識別する情報であってよい。抽選依頼情報取得部２０４は、通信端末３００から、識別情報を含む抽選依頼情報を受信してよい。通信端末３００から識別情報を含む抽選依頼情報を受信する場合、当該識別情報は、通信端末３００を識別する情報と、当該通信端末３００において抽選依頼情報を識別する情報とを含んでよい。また、当該識別情報は、通信端末３００が設置された店舗を識別する情報と、当該店舗において抽選依頼情報を識別する情報とを含んでもよい。
【００２８】
抽選依頼情報取得部２０４は、さらに、時刻情報を取得する。抽選依頼情報取得部２０４は、例えば、時刻情報を含む抽選依頼情報を通信端末３００から受信する。抽選依頼情報取得部２０４は、通信端末３００から抽選依頼情報を受信した時刻を、現在時刻を管理する時刻管理部２０５から取得してもよい。
【００２９】
当選確率決定部２０６は、抽選依頼情報取得部２０４が抽選依頼情報を取得した場合に、当該抽選依頼情報に対する抽選を実行するときの当選確率を決定する。当選確率決定部２０６は、当選確率割当部２０２によって複数の時間帯のそれぞれに割り当てられた当選確率を参照することにより、抽選依頼情報取得部２０４が取得した時刻情報が示す時刻に対応する時間帯に割り当てられた当選確率を特定して、当該抽選依頼情報に対する抽選を実行するときの当選確率として決定してよい。
【００３０】
抽選実行部２０８は、当選確率決定部２０６が決定した当選確率に基づいて、抽選依頼情報取得部２０４が取得した抽選依頼情報に対する抽選を実行する。抽選実行部２０８は、当選確率決定部２０６が決定した当選確率で抽選を実行できれば、どのような抽選手法を用いてもよい。例えば、抽選実行部２０８は、予め定められた範囲内で乱数を発生させて、予め設定された当選番号と照合することによって抽選を実行する。
【００３１】
抽選実行部２０８は、複数の抽選等級がある場合、抽選等級順に抽選を実行してよい。例えば、抽選等級が１等から３等までである場合、抽選実行部２０８は、まず１等についての抽選を実行する。そして、１等に当選した場合には、当選結果を１等とする。１等に当選しなかった場合、抽選実行部２０８は、２等についての抽選を実行する。そして、２等に当選した場合には、当選結果を２等とする。２等に当選しなかった場合、抽選実行部２０８は、３等についての当選を実行する。そして、３等に当選した場合には、当選結果を３等とする。３等に当選しなかった場合、抽選実行部２０８は、当選しなかったと判定してよい。
【００３２】
当選数カウント部２１０は、抽選実行部２０８が実行した抽選の当選数をカウントする。当選数カウント部２１０は、複数の抽選等級がある場合、抽選等級毎に当選数をカウントしてよい。例えば、抽選等級が１等から３等までである場合、当選数カウント部２１０は、１等から３等のそれぞれについて当選数をカウントする。
【００３３】
当選確率割当部２０２は、当選数カウント部２１０によってカウントされた当選数が、予め定められた当選数と等しくなった場合に、複数の時間帯のそれぞれの当選確率を０％に変更してよい。例えば、予め定められた当選数が１であった場合、当選確率割当部２０２は、当選数カウント部２１０によってカウントされた当選数が１と等しくなった場合に、複数の時間帯のそれぞれの当選確率を０％に変更する。これにより、予め定められた当選数を超えて当選してしまうことを防止できる。
【００３４】
当選確率割当部２０２は、複数の抽選等級がある場合、複数の抽選等級のそれぞれについて、当選数カウント部２１０によってカウントされた当選数が予め定められた当選数と等しくなった場合に、複数の時間帯のそれぞれの当選確率を０％に変更してよい。例えば、１等の当選数が１であった場合、当選確率割当部２０２は、当選数カウント部２１０によってカウントされた１等の当選数が１と等しくなった場合に、１等に割り当てられた、複数の時間帯のそれぞれの当選確率を０％に変更する。また、例えば、２等の当選数が２であった場合、当選確率割当部２０２は、当選数カウント部２１０によってカウントされた２等の当選数が２と等しくなった場合に、２等に割り当てられた、複数の時間帯のそれぞれの当選確率を０％に変更する。また、例えば、３等の当選数が５であった場合、当選確率割当部２０２は、当選数カウント部２１０によってカウントされた３等の当選数が５と等しくなった場合に、３等に割り当てられた、複数の時間帯のそれぞれの当選確率を０％に変更する。
【００３５】
抽選結果出力部２１２は、抽選実行部２０８による抽選結果と、当該抽選結果に対応する抽選依頼情報を識別する識別情報とを、出力する。抽選結果出力部２１２は、例えば、抽選結果及び識別情報を、抽選依頼情報を送信した通信端末３００に対して送信する。
【００３６】
抽選傾向分析部２１４は、抽選の傾向を分析する。抽選傾向分析部２１４は、例えば、複数の時間帯のそれぞれについて、抽選の実行回数を記録する。そして、抽選傾向分析部２１４は、複数の時間帯のうち、抽選の実行回数が多い時間帯と、抽選の実行回数が少ない時間帯とを分析してよい。
【００３７】
当選確率割当部２０２は、抽選傾向分析部２１４による分析結果に基づいて、複数の時間帯のそれぞれに当選確率を割り当ててよい。例えば、当選確率割当部２０２は、複数の時間帯のうち、抽選の実行回数がより多い時間帯に、より高い当選確率を割り当てる。また、当選確率割当部２０２は、抽選の実行回数が最も多い時間帯に、１００％の当選確率を割り当ててもよい。これにより、１日の間に当選者が出る確率を向上させることができる。
【００３８】
図３は、当選確率テーブル２２０の一例を概略的に示す。当選確率テーブル２２０は、時間帯欄２２２及び当選確率欄２２４を含んでよい。当選確率テーブル２２０には、当選確率割当部２０２によって、複数の時間帯のそれぞれに割り当てられた当選確率が登録される。図３に示すように、当選確率割当部２０２は、複数の時間帯のうち、後の時間帯ほど当選確率が高くなるべく、複数の時間帯のそれぞれに異なる当選確率を割り当ててよい。
【００３９】
図４は、当選確率テーブル２３０の一例を概略的に示す。当選確率テーブル２３０は、時間帯欄２３２、当選番号欄２３４、及び番号範囲欄２３６を含んでよい。当選確率割当部２０２は、複数の時間帯のそれぞれに対して、当選番号と、番号範囲とを割り当てることによって、複数の時間帯のそれぞれに異なる当選確率を割り当ててよい。
【００４０】
例えば、当選確率割当部２０２は、図４に示すように、複数の時間帯のそれぞれに対して、同一の番号範囲と、異なる数の当選番号とを割り当てることによって、複数の時間帯のそれぞれに対して異なる当選確率を割り当てる。抽選実行部２０８は、番号範囲欄２３６に示される番号範囲内で乱数を発生させて、抽選依頼情報取得部２０４が取得した時刻情報が示す時刻に対応する時間帯に割り当てられた当選番号と乱数とを照合することによって、抽選を実行してよい。
【００４１】
図５は、当選確率テーブル２４０の一例を概略的に示す。当選確率テーブル２４０は、時間帯欄２４２、当選番号欄２４４、及び番号範囲欄２４６を含んでよい。当選確率割当部２０２は、複数の時間帯のそれぞれに対して、当選番号と、番号範囲とを割り当てることによって、複数の時間帯のそれぞれに異なる当選確率を割り当ててよい。
【００４２】
例えば、当選確率割当部２０２は、図５に示すように、複数の時間帯のそれぞれに対して、同一の当選番号と、異なる番号範囲とを割り当てることによって、複数の時間帯のそれぞれに対して異なる当選確率を割り当てる。抽選実行部２０８は、抽選依頼情報取得部２０４が取得した時刻情報が示す時刻に対応する時間帯に割り当てられた番号範囲内で乱数を発生させて、当選番号欄２４４に登録された当選番号と乱数とを照合することによって、抽選を実行してよい。
【００４３】
図６は、通信端末３００の機能構成の一例を概略的に示す。通信端末３００は、抽選入力受付部３０２、第１抽選実行部３０４、第２抽選実行部３０６、抽選依頼情報送信部３０８、抽選結果受信部３１０、及び抽選結果出力部３１２を備える。なお、通信端末３００がこれらのすべての構成を備えることは必須とは限らない。
【００４４】
抽選入力受付部３０２は、抽選入力を受け付ける。抽選入力受付部３０２は、通信端末３００が備える入力デバイスを用いて入力された抽選入力を受け付けてよい。例えば、通信端末３００がタッチパネル、プッシュボタン、マウス、及びキーボードの少なくともいずれかを備える場合、抽選入力受付部３０２は、タッチパネル、プッシュボタン、マウス、及びキーボードの少なくともいずれかを用いて入力された抽選入力を受け付ける。
【００４５】
第１抽選実行部３０４は、抽選結果が上位であるか下位であるかを判定するべく、抽選を実行する。第１抽選実行部３０４は、予め定められた複数の抽選等級のうち、予め定められた抽選等級以上であるか、予め定められた抽選等級よりも低い抽選等級であるかを判定してよい。例えば、抽選等級が１等から５等までである場合に、第１抽選実行部３０４は、抽選結果が１等から３等のいずれかであるか、４等又は５等であるかを判定する。第１抽選実行部３０４は、予め定められた確率に従って、抽選結果が上位であるか下位であるかを判定してよい。予め定められた確率は、変更可能であってよい。
【００４６】
第１抽選実行部３０４によって抽選結果が下位であると判定された場合、第２抽選実行部３０６が抽選を実行する。第２抽選実行部３０６は、下位の抽選等級のうちの、いずれかの抽選等級が抽選結果となるように、抽選を実行してよい。例えば、下位の抽選等級が４等及び５等である場合に、第２抽選実行部３０６は、抽選結果が４等又は５等となるように抽選を実行する。第２抽選実行部３０６は、下位の抽選等級のうち、より下位の抽選等級の当選確率を、より上位の抽選等級の当選確率よりも高く割り当てて、抽選を実行してよい。なお、第２抽選実行部３０６は、抽選結果に、当選しなかったことが含まれるように抽選を実行してもよい。例えば、第２抽選実行部３０６は、４等、５等、及びはずれのいずれかが抽選結果となるように抽選を実行する。
【００４７】
第１抽選実行部３０４によって抽選結果が上位であると判定された場合、抽選依頼情報送信部３０８が、抽選依頼情報を抽選装置２００に送信する。抽選依頼情報送信部３０８は、識別情報を含む抽選依頼情報を抽選装置２００に送信してよい。また、抽選依頼情報送信部３０８は、時刻情報を含む抽選依頼情報を抽選装置２００に送信してもよい。
【００４８】
抽選結果受信部３１０は、抽選依頼情報送信部３０８が抽選装置２００に送信した抽選依頼情報に対して、抽選装置２００によって実行された抽選の抽選結果を、抽選装置２００から受信する。抽選結果受信部３１０は、抽選結果と、当該抽選結果に対応する抽選依頼情報を識別する識別情報とを、抽選装置２００から受信してよい。
【００４９】
抽選結果出力部３１２は、抽選結果を出力する。抽選結果出力部３１２は、第１抽選実行部３０４によって抽選結果が下位であると判定された場合、第２抽選実行部３０６によって実行された抽選結果を出力する。抽選結果出力部３１２は、第１抽選実行部３０４によって抽選結果が上位であると判定された場合、抽選結果受信部３１０が受信した抽選結果を出力する。抽選結果出力部３１２は、表示出力及び音声出力の少なくともいずれかによって抽選結果を出力してよい。
【００５０】
抽選結果出力部３１２は、第２抽選実行部３０６によって実行された抽選結果と、抽選結果受信部３１０が受信した抽選結果とを、異なる出力形態で出力してもよい。例えば、抽選結果出力部３１２は、第２抽選実行部３０６によって実行された抽選結果を表示出力し、抽選結果受信部３１０が受信した抽選結果をメール送信する。メール送信先は、例えば、抽選入力受付部３０２が受け付ける。
【００５１】
また、ここでは、抽選結果出力部３１２が、第１抽選実行部３０４によって実行された抽選結果と抽選結果受信部３１０が受信した抽選結果とを出力する場合を例に挙げて説明したが、これに限らない。通信端末３００は、第１抽選実行部３０４によって実行された抽選結果を出力する第１出力部と、抽選結果受信部３１０が受信した抽選結果を出力する第２出力部とを備えてもよい。
【００５２】
また、ここでは、抽選装置２００によって実行された抽選結果を、抽選結果受信部３１０が受信して、抽選結果出力部３１２が出力する場合を例に挙げて説明したが、これに限らない。抽選装置２００は、抽選結果を通信端末３００以外の装置に送信してもよい。例えば、抽選装置２００は、通信端末３００が設置された店舗に設置された、大型ディスプレイに抽選結果を送信して、当該大型ディスプレイに抽選結果を表示させる。
【００５３】
上述したように、抽選入力受付部３０２が受け付けた抽選入力に対して、抽選結果が下位である場合には第２抽選実行部３０６が抽選を実行し、上位である場合に抽選装置２００に抽選依頼情報を送信することにより、抽選入力受付部３０２が受け付けたすべての抽選入力について抽選依頼情報を抽選装置２００に送信するのに比べて、抽選装置２００の処理負荷を軽減させることができる。また、抽選装置２００と通信端末３００との間の通信量を低減させることができ、抽選装置２００と通信端末３００との間の通信時間を短縮させることができる。また、抽選結果が下位である場合に、その結果を、抽選を実行した者に、より速く伝えることができる。これにより、抽選の運営を効率化させることができる。また、抽選を実行した者に対して、抽選結果が下位又は落選であった上に、抽選結果を知るために待たされたという不快感を与えてしまうことを防止できる。
【００５４】
図７は、抽選装置２００による処理の流れの一例を概略的に示す。図７は、抽選装置２００が抽選依頼情報を待ち受けている状態を開始状態とし、抽選依頼情報を取得してから抽選結果を出力するまでの処理の流れを説明する。図７に示す各処理は、抽選装置２００が備える制御部が主体となって実行されてよい。
【００５５】
ステップ７０２（ステップをＳと省略して表記する場合がある。）では、抽選依頼情報取得部２０４が、通信端末３００から受信した識別情報を含む抽選依頼情報と、時刻情報とを取得する。Ｓ７０４では、当選確率決定部２０６が、Ｓ７０２で取得した抽選依頼情報に対する抽選を実行するときの当選確率を決定する。
【００５６】
当選確率決定部２０６は、当選確率割当部２０２が複数の時間帯のそれぞれに割り当てた当選確率を参照して、Ｓ７０２で取得した時刻情報が示す時刻に対応する時間帯に割り当てられた当選確率を特定し、Ｓ７０２で取得した抽選依頼情報に対する抽選を実行するときの当選確率として決定してよい。なお、抽選等級が複数ある場合、当選確率決定部２０６は、最も高い抽選等級に対して割り当てられた当選確率を参照する。
【００５７】
Ｓ７０６では、抽選実行部２０８が、Ｓ７０４で決定された当選確率に基づいて、Ｓ７０２で取得した抽選依頼情報に対する抽選を実行する。Ｓ７０６で抽選実行部２０８が抽選した抽選結果が当選ではなかった場合（Ｓ７０８：ＮＯ）、Ｓ７１０に進む。
【００５８】
Ｓ７１０で、次の抽選等級が有ると判定された場合、Ｓ７０４に戻る。次の抽選等級とは、抽選等級が複数ある場合における、１つ下位の抽選等級であってよい。Ｓ７０４では、当選確率決定部２０６が、次の抽選等級について、複数の時間帯のそれぞれに割り当てられた当選確率を参照して、Ｓ７０２で取得した時刻情報が示す時刻に対応する時間帯に割り当てられた当選確率を、Ｓ７０６で用いる当選確率として決定する。
【００５９】
Ｓ７１０で、次の抽選等級が無いと判定された場合、Ｓ７１８に進む。Ｓ７１８では、抽選結果出力部２１２が、Ｓ７０２で取得した抽選依頼情報に含まれる識別情報と、当選しなかったことを示す抽選結果とを、抽選依頼情報を送信した通信端末３００に送信する。
【００６０】
Ｓ７０６で抽選実行部２０８が抽選した抽選結果が当選であった場合（Ｓ７０８：ＹＥＳ）、Ｓ７１２に進む。Ｓ７１２では、当選数カウント部２１０が、当選カウント数をカウントアップする。当選数カウント部２１０は、当選した抽選等級に対応する当選カウント数をカウントアップする。
【００６１】
Ｓ７１４では、当選カウント数が予め設定された当選数と等しいか否かを判定する。Ｓ７１４で、当選カウント数が予め設定された当選数と等しいと判定された場合、Ｓ７１６に進む。Ｓ７１６では、当選確率割当部２０２が、当選した抽選等級について、複数の時間帯のそれぞれに割り当てられた当選確率を０％に変更する。Ｓ７１４で、当選カウント数が予め設定された当選数と等しくないと判定された場合、Ｓ７１８に進む。また、Ｓ７１６で当選確率を変更した後、Ｓ７１８に進む。
【００６２】
Ｓ７１８では、抽選結果出力部２１２が、Ｓ７０２で取得した抽選依頼情報に含まれる識別情報と、Ｓ７０８で当選したと判定された抽選等級を示す抽選結果とを、抽選依頼情報を送信した通信端末３００に送信する。そして、処理が終了する。
【００６３】
図８は、抽選装置２００による処理の流れの他の一例を概略的に示す。なお、図８は、抽選装置２００が抽選依頼情報を待ち受けている状態を開始状態とし、抽選依頼情報を取得してから抽選結果を出力するまでの処理の流れを説明する。図８に示す各処理は、抽選装置２００が備える制御部が主体となって実行されてよい。
【００６４】
ここでは、１等１件、２等１件が用意された場合であって、ある時間帯に対して１等の当選番号Ａ１と、２等の当選番号Ｂ１〜Ｂ３と、ハズレ番号Ｃ１〜Ｃｎとが割り当てられ、次の時間帯にＡ１及びＢ１〜Ｂ３が割り当てられており、１等の当選が出た場合にＡ１を削除し、２等の当選が出た場合にＢ１〜Ｂ３を削除する処理の流れについて説明する。ｎは任意であってよく、例えば、抽選装置２００の管理者によって設定されてよい。Ａ１、Ｂ１〜Ｂ３及びＣ１〜Ｃｎは、連続する異なる数値であってよい。例えば、ｎが１０である場合、Ａ１、Ｂ１〜Ｂ３及びＣ１〜Ｃ１０のそれぞれに、１〜１４のそれぞれが割り当てられる。
【００６５】
Ｓ８０２では、抽選依頼情報取得部２０４が、通信端末３００から受信した識別情報を含む抽選依頼情報と、時刻情報とを取得する。Ｓ８０４では、当選確率決定部２０６が、Ｓ８０２で取得した抽選依頼情報に対する抽選を実行するときの当選確率を決定する。当選確率決定部２０６は、時刻情報が示す時刻に対応する時間帯に割り当てられた番号を設定する。例えば、時刻情報が示す時刻に対応する時間帯に対して、Ａ１、Ｂ１〜Ｂ３及びＣ１〜Ｃｎが割り当てられていた場合、これらの番号を設定する。
【００６６】
Ｓ８０６では、抽選実行部２０８が、Ｓ８０４で設定された番号に基づいて、Ｓ８０２で取得した抽選依頼情報に対する抽選を実行する。抽選実行部２０８は、例えば、Ｓ８０４でＡ１、Ｂ１〜Ｂ３及びＣ１〜Ｃｎが設定されていた場合、Ａ１、Ｂ１〜Ｂ３及びＣ１〜Ｃｎの間で乱数を発生させて、Ａ１、Ｂ１〜Ｂ３及びＣ１〜Ｃｎのいずれかを選択する。また、抽選実行部２０８は、例えば、Ｓ８０４で、Ａ１及びＢ１〜Ｂ３が設定されていた場合、Ａ１及びＢ１〜Ｂ３の間で乱数を発生させて、Ａ１及びＢ１〜Ｂ３のいずれかを選択する。
【００６７】
Ｓ８０８では、Ｓ８０６で抽選した抽選結果が当選であったか否かが判定される。例えば、Ｓ８０６で発生した乱数がＡ１及びＢ１〜Ｂ３のいずれかであった場合、当選と判定され、Ｃ１〜Ｃｎのいずれかであった場合、当選ではないと判定される。Ｓ８０８で当選と判定された場合、Ｓ８１０に進む。
【００６８】
Ｓ８１０では、当選数カウント部２１０が、当選カウント数をカウントアップする。当選数カウント部２１０は、当選した抽選等級に対応する当選カウント数をカウントアップする。
【００６９】
Ｓ８１２では、当選カウント数が予め設定された当選数と等しいか否かを判定する。例えば、１等１件が用意されている場合であって、１等に当選した場合は、当選カウント数が１と等しいか否かが判定される。なお、例えば、１等３件が用意された場合には、１等の当選カウント数が３と等しいか否かが判定される。Ｓ８１２で、当選カウント数が予め設定された当選数と等しいと判定された場合、Ｓ８１４に進む。
【００７０】
Ｓ８１４では、当選確率割当部２０２が、当選カウント数が設定当選数と等しくなった抽選等級について、当選番号を削除する。例えば、Ａ１の当選カウント数が設定当選数と等しくなった場合、当選確率割当部２０２は、時刻情報が示す時刻に対応する時間帯と、それ以降の時間帯とに割り当てられた番号からＡ１を削除する。また、Ｂ１〜Ｂ３のいずれかに当選した場合、当選確率割当部２０２は、時刻情報が示す時刻に対応する時間帯と、それ以降の時間帯とに割り当てられた番号からＢ１〜Ｂ３を削除する。
【００７１】
Ｓ８１６では、抽選結果出力部２１２が、抽選結果を出力する。Ｓ８０８で当選ではないと判定された場合、抽選結果出力部２１２は、Ｓ８０２で取得した抽選依頼情報に含まれる識別情報と、当選しなかったことを示す抽選結果とを、抽選依頼情報を送信した通信端末３００に送信する。Ｓ８０８で当選したと判定された場合、抽選結果出力部２１２は、Ｓ８０２で取得した抽選依頼情報に含まれる識別情報と、当選した抽選等級とを、抽選依頼情報を送信した通信端末３００に送信する。そして、処理が終了する。なお、Ｓ８１４でＡ１又はＢ１〜Ｂ３が削除された後、他の抽選依頼情報を受信した場合、抽選実行部２０８は、発生させた乱数が、削除された番号と一致した場合にハズレと判定してよく、また、削除された番号を含まないように乱数を発生させてもよい。
【００７２】
図９は、通信端末３００による処理の流れの一例を示す。図９に示す処理は、通信端末３００が抽選入力を待ち受けている状態を開始状態として説明する。図９に示す各処理は、通信端末３００が備える制御部が主体となって実行されてよい。
【００７３】
Ｓ９０２では、抽選入力受付部３０２が抽選入力を受け付ける。Ｓ９０４では、第１抽選実行部３０４が、抽選結果が上位であるか下位であるかを抽選により判定する。Ｓ９０４で抽選結果が上位であると判定された場合（Ｓ９０６：ＹＥＳ）、Ｓ９０８に進み、下位であると判定された場合（Ｓ９０６：ＮＯ）、Ｓ９１２に進む。
【００７４】
Ｓ９０８では、抽選依頼情報送信部３０８が、抽選依頼情報を抽選装置２００に送信する。Ｓ９１０では、Ｓ９０８で送信した抽選依頼情報に対して、抽選装置２００によって実行された抽選の抽選結果を、抽選結果受信部３１０が抽選装置２００から受信する。Ｓ９１２では、第２抽選実行部３０６が抽選を実行する。
【００７５】
Ｓ９１４では、抽選結果出力部３１２が、抽選結果を出力する。抽選結果出力部３１２は、Ｓ９０４で抽選結果が上位であると判定された場合、Ｓ９１０で抽選装置２００から受信した抽選結果を出力する。抽選結果出力部３１２は、Ｓ９０４で抽選結果が下位であると判定された場合、Ｓ９１２で第２抽選実行部３０６が実行した抽選の抽選結果を出力する。そして、処理が終了する。
【００７６】
図１０は、抽選システム１００の一例を概略的に示す。図１０は、リサイクル用の携帯電話４００を店舗に提出することによって抽選を行う権利を取得した抽選権利者が、店舗の受付台２０に設置された通信端末３００に対して抽選入力を行う場合を例に挙げて説明する。
【００７７】
抽選入力受付部３０２は、通信端末３００が備える入力デバイスを用いて、抽選権利者によって入力された抽選入力を受け付ける。抽選入力受付部３０２は、さらに、店舗に提出された携帯電話４００の機種情報を受け付けてよい。機種情報は、通信端末３００が備える入力デバイスを用いて、店舗の従業員等によって入力されてよい。
【００７８】
抽選入力受付部３０２が抽選入力を受け付けたのに応じて、第１抽選実行部３０４は、抽選結果が上位であるか下位であるかを判定する。ここで、第１抽選実行部３０４は、抽選入力受付部３０２が受け付けた携帯電話４００の機種情報に基づく確率に従って、抽選結果が上位であるか下位であるかを判定してよい。
【００７９】
第１抽選実行部３０４は、例えば、携帯電話４００の機種情報と、上位又は下位を判定する確率とを対応付けた対応データを予め保持しておいてよい。そして、第１抽選実行部３０４は、当該対応データを参照することにより、抽選入力受付部３０２が受け付けた携帯電話４００の機種情報に対応する確率に従って、抽選結果が上位であるか下位であるかを判定してよい。
【００８０】
携帯電話４００の機種情報に対応する確率としては、例えば、リサイクルする価値がより高い携帯電話４００について、上位と判定されやすいような確率が設定されてよい。これにより、リサイクルする価値がより高い携帯電話４００を保有する保有者に対して、当該携帯電話４００を店舗に提出するより強いインセンティブを与えることができる。
【００８１】
第１抽選実行部３０４によって抽選結果が下位であると判定された場合、第２抽選実行部３０６が、抽選を実行する。ここで、第２抽選実行部３０６は、抽選入力受付部３０２が受け付けた携帯電話４００の機種情報に基づく当選確率を用いて、抽選を実行してよい。
【００８２】
第２抽選実行部３０６は、例えば、下位の抽選等級のそれぞれに当選する当選確率と、携帯電話４００の機種情報とを対応付けた対応データを予め保持しておいてよい。そして、第２抽選実行部３０６は、当該対応データを参照することにより、抽選入力受付部３０２が受け付けた携帯電話４００の機種情報に対応する当選確率に従って、抽選を実行してよい。
【００８３】
携帯電話４００の機種情報に対応する当選確率としては、リサイクルする価値がより高い携帯電話４００について、より上位の抽選等級に当選しやすい当選確率が設定されてよい。例えば、下位の抽選等級が４等及び５等の場合、リサイクルする価値がより高い携帯電話４００について、リサイクルする価値がより低い携帯電話４００よりも、４等に当選する確率が高くなるように、当選確率が設定される。また、リサイクルする価値がより高い携帯電話４００については、抽選を２回以上実行して、２回以上の抽選結果のうち最も上位の抽選結果を、抽選結果として採用してもよい。これにより、リサイクルする価値がより高い携帯電話４００を保有する保有者に対して、当該携帯電話４００を店舗に提出するより強いインセンティブを与えることができる。
【００８４】
第１抽選実行部３０４によって抽選結果が上位であると判定された場合、抽選依頼情報送信部３０８が抽選依頼情報を抽選装置２００に送信する。抽選依頼情報送信部３０８は、抽選依頼情報に加えて、抽選入力受付部３０２が受け付けた携帯電話４００の機種情報を送信してよい。抽選依頼情報取得部２０４は、抽選依頼情報に加えて、携帯電話４００の機種情報を取得してよい。
【００８５】
当選確率決定部２０６は、抽選依頼情報取得部２０４が取得した携帯電話４００の機種情報に基づく当選確率を用いて、当選確率を決定してよい。例えば、当選確率割当部２０２が、携帯電話４００の機種情報毎に、複数の時間帯のそれぞれに対して異なる当選確率を割り当てておく。そして当選確率決定部２０６は、抽選依頼情報取得部２０４が取得した携帯電話４００の機種情報に対応する、複数の時間帯のそれぞれに対して割り当てられ当選確率を参照して、抽選依頼情報取得部２０４が取得した時刻情報が示す時刻に対応する時間帯に割り当てられた当選確率を特定し、抽選依頼情報取得部２０４が取得した抽選依頼情報に対する抽選に用いる当選確率として決定してよい。
【００８６】
携帯電話４００の機種情報に対応する当選確率としては、リサイクルする価値がより高い携帯電話４００について、上位の抽選等級に当選しやすい当選確率が設定されてよい。例えば、上位の抽選等級が１等から３等である場合、リサイクルする価値がより高い携帯電話４００について、リサイクルする価値がより低い携帯電話４００よりも、１等に当選する確率が高くなるように、当選確率が設定される。また、リサイクルする価値がより高い携帯電話４００については、抽選を２回以上実行して、２回以上の抽選結果のうち最も上位の抽選結果を、抽選結果として採用してもよい。これにより、リサイクルする価値がより高い携帯電話４００を保有する保有者に対して、当該携帯電話４００を店舗に提出するより強いインセンティブを与えることができる。
【００８７】
上記実施形態では、通信端末３００が、複数人によって利用される通信機器である場合を例に挙げて説明したが、これに限らない。通信端末３００は、個人が所有する通信機器であってもよい。抽選装置２００は、抽選を行う権利を有する通信端末３００から抽選依頼情報を受信した場合に、抽選を実行して、抽選結果を当該通信端末３００に送信してよい。抽選を行う権利は、様々な形で通信端末３００に与えられてよい。例えば、抽選を行う権利は、抽選用の電子チケットを保持する通信端末３００に対して与えられる。抽選装置２００は、通信端末３００から抽選依頼情報と、抽選用の電子チケットとを受信した場合に、抽選を実行してよい。
【００８８】
以上の説明において、抽選装置２００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、抽選装置２００として機能してもよい。プログラムは、コンピュータ読み取り可能な媒体又はネットワークに接続された記憶装置から、抽選装置２００の少なくとも一部を構成するコンピュータにインストールされてよい。
【００８９】
コンピュータにインストールされ、コンピュータを本実施形態に係る抽選装置２００として機能させるプログラムは、ＣＰＵ等に働きかけて、コンピュータを、抽選装置２００の各部としてそれぞれ機能させる。これらのプログラムに記述された情報処理は、コンピュータに読込まれることにより、ソフトウエアと抽選装置２００のハードウエア資源とが協働した具体的手段として機能する。
【００９０】
また、通信端末３００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、通信端末３００として機能してもよい。プログラムは、コンピュータ読み取り可能な媒体又はネットワークに接続された記憶装置から、通信端末３００の少なくとも一部を構成するコンピュータにインストールされてよい。
【００９１】
コンピュータにインストールされ、コンピュータを本実施形態に係る通信端末３００として機能させるプログラムは、ＣＰＵ等に働きかけて、コンピュータを、通信端末３００の各部としてそれぞれ機能させる。これらのプログラムに記述された情報処理は、コンピュータに読込まれることにより、ソフトウエアと通信端末３００のハードウエア資源とが協働した具体的手段として機能する。
【００９２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９３】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００９４】
１０  ネットワーク、２０  受付台、１００  抽選システム、２００  抽選装置、２０２  当選確率割当部、２０４  抽選依頼情報取得部、２０５  時刻管理部、２０６  当選確率決定部、２０８  抽選実行部、２１０  当選数カウント部、２１２  抽選結果出力部、２１４  抽選傾向分析部、２２０  当選確率テーブル、２２２  時間帯欄、２２４  当選確率欄、２３０  当選確率テーブル、２３２  時間帯欄、２３４  当選番号欄、２３６  番号範囲欄、２４０  当選確率テーブル、２４２  時間帯欄、２４４  当選番号欄、２４６  番号範囲欄、３００  通信端末、３０２  抽選入力受付部、３０４  第１抽選実行部、３０６  第２抽選実行部、３０８  抽選依頼情報送信部、３１０  抽選結果受信部、３１２  抽選結果出力部、４００  携帯電話
【図１】
0006027553.tif 000002
【図２】
0006027553.tif 000003
【図３】
0006027553.tif 000004
【図４】
0006027553.tif 000005
【図５】
0006027553.tif 000006
【図６】
0006027553.tif 000007
【図７】
0006027553.tif 000008
【図８】
0006027553.tif 000009
【図９】
0006027553.tif 000010
【図１０】
0006027553.tif 000011